【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】撮影レンズが合焦状態に至るまで焦点検出及び焦点検出光学系の駆動を行い、合焦後は焦点検出動作は行わない第１のモードと、一度合焦状態になった後も、繰り返し焦点検出動作を実行する第２のモードとを有するカメラの自動焦点調節装置であって、カメラの制御を行うマイクロコンピュータと、撮影画面内の少なくとも１つの領域の焦点状態を検出する焦点検出手段と、検出された焦点検出結果に基づいて撮影レンズの焦点調節光学系を駆動するレンズ駆動手段と、前記焦点検出手段にて得られる今回及び前回を含む複数回の焦点信号に基づいて、前記第１のモードと前記第２のモードの切り換えを行うか否かを判定するモード変更判定手段と、該モード変更判定手段の動作中は、焦点検出動作を間欠的に行わせる間欠動作手段と、該間欠動作手段の待機状態では前記マイクロコンピュータの消費電力を低減する状態に設定する動作制御手段とを有することを特徴とするカメラの自動焦点調節装置。
【請求項２】前記動作制御手段は、前記間欠動作手段の待機状態では、前記マイクロコンピュータのクロック周波数を高周波数から低周波数に切り換えることで、前記マイクロコンピュータの消費電力を低減する状態に設定することを特徴とする請求項１記載のカメラの自動焦点調節装置。
【請求項３】前記モード変更判定手段は、前記第１のモードを前記第２のモードへ自動的に切り換えるか否かの判定を行うことを特徴とする請求項１又は２記載のカメラの自動焦点調節装置。
【手続補正２】
【補正対象書類名】明細書
【補正対象項目名】００１７
【補正方法】変更
【補正の内容】
【００１７】
（発明の目的）本発明の目的は、第１のモードを第２のモードに切り換えるか否かを判定している際の焦点検出動作を間欠的に行い、このモード切り換えに期間における消費電力を低減させ、電池の寿命を延ばすことのできるカメラの自動焦点調節装置を提供しようとするものである。
【手続補正３】
【補正対象書類名】明細書
【補正対象項目名】００１８
【補正方法】変更
【補正の内容】
【００１８】
【課題を解決するための手段】上記目的を達成するため、本発明は、撮影レンズが合焦状態に至るまで焦点検出及び焦点検出光学系の駆動を行い、合焦後は焦点検出動作は行わない第１のモードと、一度合焦状態になった後も、繰り返し焦点検出動作を実行する第２のモードとを有するカメラの自動焦点調節装置であって、カメラの制御を行うマイクロコンピュータと、撮影画面内の少なくとも１つの領域の焦点状態を検出する焦点検出手段と、検出された焦点検出結果に基づいて撮影レンズの焦点調節光学系を駆動するレンズ駆動手段と、前記焦点検出手段にて得られる今回及び前回を含む複数回の焦点信号に基づいて、前記第１のモードと前記第２のモードの切り換えを行うか否かを判定するモード変更判定手段と、該モード変更判定手段の動作中は、焦点検出動作を間欠的に行わせる間欠動作手段と、該間欠動作手段の待機状態では前記マイクロコンピュータの消費電力を低減する状態に設定する動作制御手段とを有するカメラの自動焦点調節装置とするものである。
【手続補正４】
【補正対象書類名】明細書
【補正対象項目名】００２３
【補正方法】変更
【補正の内容】
【００２３】
７は撮影レンズ１の予定結像面に配置されたピント板、８はファインダ光路変更用のペンタプリズム、９，１０は各々観察画面内の被写体輝度を測定するための結像レンズと測光センサであり、結像レンズ９はペンタプリズム８内の反射光路を介してピント板７と測光センサ１０を共役に関係づけている。
【手続補正５】
【補正対象書類名】明細書
【補正対象項目名】００３２
【補正方法】変更
【補正の内容】
【００３２】
カメラ本体に内蔵されたマイクロコンピュータの中の中央処理装置（以下、ＣＰＵと記す）１００には、測光回路１０２，焦点検出回路１０３，信号入力回路１０４，ＬＣＤ駆動回路１０５，ＬＥＤ駆動回路１０６，シャッタ制御回路１０７，モータ制御回路１０８，フィルム検出回路１０９が接続されている。また、撮影レンズ１内に配置された焦点調節回路１１５、絞り駆動回路１１１とは、図１で示したマウント接点３７を介して信号の伝達が行われる。
【手続補正６】
【補正対象書類名】明細書
【補正対象項目名】００３６
【補正方法】変更
【補正の内容】
【００３６】
前記焦点検出回路１０３は、上記ラインセンサ６ｆから得た電圧をＡ／Ｄ変換し、ＣＰＵ１００に送る。
【手続補正７】
【補正対象書類名】明細書
【補正対象項目名】００５６
【補正方法】変更
【補正の内容】
【００５６】
続くステップ＃１１０においては、すべてのＡＦ点の焦点検出結果から１つの焦点検出結果を選択する。各々のＡＦ点の焦点検出結果（デフォーカス量）から主被写体を推測し、主被写体と推測したＡＦ点を選択する。本実施の形態では、最も至近側を示すＡＦ点に主被写体が位置すると推測している。そして、次のステップ＃１１１において、上記ステップ＃１１０にて選択された焦点検出結果により、現在の焦点状態が合焦状態か否かを判定する。合焦状態でなければステップ＃１１３へ進み、撮影レンズ１を駆動するためにＣＰＵ１００は焦点調整回路１１５に信号を送り、所定量撮影レンズ１を駆動する。具体的には、上記ステップ＃１１０にて選択されたＡＦ点の焦点検出結果に基づいた所定量だけレンズを駆動する。そして、ステップ＃１０７に戻る。
【手続補正８】
【補正対象書類名】明細書
【補正対象項目名】００６６
【補正方法】変更
【補正の内容】
【００６６】
ステップ＃１５０においては、サブルーチン「焦点検出」をコールし、すべてのＡＦ点の焦点状態を検出する。このサブルーチン「焦点検出」の詳細は後で説明する。次のステップ＃１５１においては、上記ステップ＃１１０にて選択されたＡＦ点の焦点検出結果に基づき、現在の焦点状態が合焦状態か否かを判定する。合焦状態であればステップ＃１５３へ進むが、そうでなければステップ＃１５２へ進み、現在の焦点状態が合焦状態でないために撮影レンズ１を駆動するための処理を行う。具体的には、ＣＰＵ１００は焦点調整回路１１５に信号を送り、ステップ＃１１０にて選択されたＡＦ点の焦点検出結果に基づいた所定量だけ撮影レンズ１を駆動する。
【手続補正９】
【補正対象書類名】明細書
【補正対象項目名】００８４
【補正方法】変更
【補正の内容】
【００８４】
ステップ＃３０１においては、フィルム５に感光させるための準備として、まず、主ミラー２をアップさせる。このために、ＣＰＵ１００はモータ制御回路１０８に信号を送り、モータＭ２を正転方向に駆動し始める。その後、不図示の位相基板の位相信号ＣＭＳＰ１，ＣＭＳＰ２をモニタし続け、位相信号がミラーアップ位置になると、モータ制御回路１０８に信号を送り、モータＭ２の駆動を停止する。また、絞り駆動回路１１１を含む絞り駆動装置３２に信号を送り、絞り３１を所定量だけ絞り込ませる。
【手続補正１０】
【補正対象書類名】明細書
【補正対象項目名】００８６
【補正方法】変更
【補正の内容】
【００８６】
次のステップ＃３０３においては、上記のようにしてフィルム５の露光が終わると、主ミラー２のダウンおよびシャッタチャージを行う。このために、ＣＰＵ１００はモータ制御回路１０８に信号を送り、モータＭ２を正転方向に駆動し始める。その後、不図示の位相基板の位相信号ＣＭＳＰ１，ＣＭＳＰ２をモニタし続け、位相信号がミラーダウン位置になると、モータ制御回路１０８に信号を送り、モータＭ２の駆動を停止する。また、絞り駆動回路１１１を含む絞り駆動装置３２に信号を送り、絞り３１を開放状態に戻す。
【手続補正１１】
【補正対象書類名】明細書
【補正対象項目名】００９７
【補正方法】変更
【補正の内容】
【００９７】
【発明の効果】以上説明したように、本発明によれば、第１のモードを第２のモードに切り換えるか否かを判定している際の焦点検出動作を間欠的に行い、このモード切り換えに期間における消費電力を低減させ、電池の寿命を延ばすことができるカメラの自動焦点調節装置を提供できるものである。
【手続補正１２】
【補正対象書類名】図面
【補正対象項目名】図５
【補正方法】変更
【補正の内容】
【図５】
2000266990.tif 000001